(57)【要約】【課題】  極めてシンプルな操作で簡単にデジタル写真プリントを行うことが可能な記録装置を提供する。【解決手段】  電源スイッチ３５が操作されていた場合には、所定の電源ＯＮシーケンスを実行した後、「手動記録モード」で動作を開始する。電源スイッチ３５が操作されておらず、かつメモリカードスロット３６にメモリカード３０１が挿入されていた場合には、所定の電源ＯＮシーケンスを実行した後、「全自動記録モード」で動作を開始する。ＤＰＯＦファイルが保存されていない場合には、メモリカード３０１に保存されている全てのデジタル画像ファイルについて、１枚ずつ記録紙Ｐへの記録を実行する。ＤＰＯＦファイルが保存されている場合には、そのＤＰＯＦファイルの内容に基づいて、記録紙Ｐへの記録を実行する。記録が全て終了した時点で、所定の電源ＯＦＦシーケンスを実行する。【選択図】図４
2007237710.tif 000002
【特許請求の範囲】
【請求項１】
被記録材への記録を実行可能な記録実行手段と、リムーバブルメディアに保存されているデジタル画像ファイルを読み込み可能なデジタル画像ファイル読み込み装置と、電源ＯＦＦ状態で前記デジタル画像ファイル読み込み装置にリムーバブルメディアが挿入されると起動して電源ＯＮ状態となるように構成された電源回路と、前記記録実行手段、前記デジタル画像ファイル読み込み装置及び前記電源回路の制御を実行する記録制御装置とを備えた記録装置であって、
前記記録制御装置は、電源ＯＮ時に前記デジタル画像ファイル読み込み装置にリムーバブルメディアが挿入されている状態を検出している場合には、前記記録装置の所定の初期化手順を実行して被記録材への記録を実行可能な状態となった時点で、デジタル画像ファイルの画像を一の被記録材へ記録する記録制御を前記デジタル画像ファイル読み込み装置に挿入されているリムーバブルメディアに保存された全てのデジタル画像ファイルについて実行した後、前記記録装置の電源ＯＦＦ制御を実行する全自動記録モードで起動する、ことを特徴とした記録装置。
【請求項２】
請求項１において、前記記録制御装置は、前記全自動記録モードで起動した場合には、被記録材への記録を実行する前に、前記デジタル画像ファイル読み込み装置に挿入されているリムーバブルメディアにデジタル画像ファイルとともに所定形式の記録指定ファイルが保存されているか否かを検索し、
所定形式の記録指定ファイルが保存されている場合には、当該記録指定ファイルで指定されたデジタル画像ファイルを当該記録指定ファイルで指定された記録枚数及び記録形式で被記録材へ記録する、ことを特徴とした記録装置。
【請求項３】
請求項１又は２において、電源スイッチと、所定の記録実行操作が可能な操作手段と、記録実行操作に対する所定の表示が可能な表示手段とを備え、
前記電源回路は、前記記録装置の電源ＯＦＦ状態で前記電源スイッチが操作されると起動して前記記録装置が電源ＯＮ状態となるように構成されており、
前記記録制御装置は、電源ＯＮ時に前記デジタル画像ファイル読み込み装置にリムーバブルメディアが挿入されていない状態を検出している場合には、前記記録装置の所定の初期化手順のみ実行した後そのまま電源ＯＮ状態を維持し、
当該電源ＯＮ状態を維持している間に前記デジタル画像ファイル読み込み装置にリムーバブルメディアが挿入された場合には、当該リムーバブルメディアに保存されているデジタル画像ファイルの中から操作者が前記操作部を操作して指定したデジタル画像ファイルの画像を操作者が前記操作部を操作して指定した記録枚数及び記録形式で被記録材へ記録することが可能な手動記録モードを有している、ことを特徴とした記録装置。
【請求項４】
請求項３において、前記記録制御装置は、前記デジタル画像ファイル読み込み装置に挿入されているリムーバブルメディアからデジタル画像ファイルのデータを読み込みつつ被記録材への記録を実行している間に、当該リムーバブルメディアが前記デジタル画像ファイル読み込み装置から抜き出されたことを検出した時点で、記録実行中の被記録材への記録を中断して排出した後、前記全自動記録モードで動作している場合には前記記録装置の電源ＯＦＦ制御を実行し、前記手動記録モードで動作している場合にはそのまま電源ＯＮ状態を維持する、ことを特徴とした記録装置。
【請求項５】
請求項１〜４のいずれか１項において、電源ＯＮ状態において前記記録制御装置を初期化して電源ＯＮ直後の状態にすることが可能なリセットスイッチを備えている、ことを特徴とした記録装置。
【請求項６】
被記録材への記録を実行可能な記録実行手段と、リムーバブルメディアに保存されているデジタル画像ファイルを読み込み可能なデジタル画像ファイル読み込み装置と、電源ＯＦＦ状態で前記デジタル画像ファイル読み込み装置にリムーバブルメディアが挿入されると起動して電源ＯＮ状態となるように構成された電源回路とを備えた記録装置において、前記記録実行手段、前記デジタル画像ファイル読み込み装置及び前記電源回路の制御をコンピュータに実行させるための記録制御プログラムであって、
電源ＯＮ時に前記デジタル画像ファイル読み込み装置にリムーバブルメディアが挿入されているか否かを判定する手順と、
電源ＯＮ時に前記デジタル画像ファイル読み込み装置にリムーバブルメディアが挿入されている状態を検出した場合には、前記記録装置の所定の初期化手順を実行して被記録材への記録を実行可能な状態となった時点で、デジタル画像ファイルの画像を一の被記録材へ記録する記録制御を前記デジタル画像ファイル読み込み装置に挿入されているリムーバブルメディアに保存された全てのデジタル画像ファイルについて実行した後、前記記録装置の電源ＯＦＦ制御を実行する全自動記録モード手順とを有する、ことを特徴とした記録制御プログラム。
【発明の詳細な説明】
【技術分野】
【０００１】
本発明は、被記録材への記録を実行可能な記録実行手段と、リムーバブルメディアに保存されているデジタル画像ファイルを読み込み可能なデジタル画像ファイル読み込み装置とを備えた記録装置に関する。
【背景技術】
【０００２】
近年のインクジェットプリンタ等の記録装置においては、メモリカードスロットに挿入したメモリカードに保存されているデジタル画像ファイルから直接プリントを実行することが可能なダイレクトプリント機能を備えた記録装置が公知である（例えば、特許文献１を参照）。このダイレクトプリント機能を有する記録装置は、パーソナルコンピュータを必要とすることなく、メモリカード経由でデジタルカメラやカメラ付き携帯電話等で撮影したデジタル画像のファイルからデジタル写真プリントを行うことができる利便性から特に近年急速に普及しつつある。また、メモリカードスロットを備えた電子機器としては、電源ＯＦＦ状態の電子機器のメモリカードスロットにメモリカードを挿入すると、電子機器の電源が自動的にＯＮとなる電子機器が公知である（例えば、特許文献２を参照）。
【０００３】
【特許文献１】特開２００５−２６２５３７号公報
【特許文献２】特開２００５−１０８７６号公報
【発明の開示】
【発明が解決しようとする課題】
【０００４】
ところが、インクジェットプリンタ等の記録装置においては、写真用紙等の被記録材へデジタル画像ファイルの画像を記録する際には、記録装置の電源ボタンを操作して記録装置の電源をＯＮし、メモリカード内に保存されている多数のデジタル画像ファイルの中から所望のデジタル画像ファイルを選択し、写真用紙や普通紙といった被記録材の種別や大きさ、さらに高画質モード等の記録モード等を選択した後、記録開始ボタンを押す、といった多くの操作を行わなければならない。デジタル写真プリントを実行する度にこのような多くの操作を行わなければならないのは、ユーザにしてみれば、時には煩わしく感じることもあり得るし、電子機器の操作があまり得意でないユーザにしてみれば、難しい操作をしなければならないと感じてしまうこともあり得る。
【０００５】
また、ダイレクトプリント機能を備えた記録装置は、上記の一連の記録実行操作を行うための複数の操作ボタン及びデジタル画像ファイルの画像を表示したり、操作メニューや設定状態等を表示したりするための液晶表示パネル等を設けなければならない。そのため、記録装置が大型化するとともに高価格なものとなってしまい、シンプルな操作で簡単にデジタル写真プリントを自宅で行うことができる小型で低価格な記録装置を望むユーザのニーズに充分に応えることができないという課題があった。
【０００６】
例えば、電子機器であるインクジェットプリンタ等の記録装置において、上述した特許文献２に開示されている従来技術を組み合わせることで、メモリカードスロットにメモリカードを挿入すると自動的に電源がＯＮする記録装置を実現することができる。それによって、ユーザは、電源スイッチを操作する手間は省けることになるが、それだけでは上記課題を充分に解決し得るものとは言えない。そして、近年は、低価格で高機能なデジタルカメラやカメラ付き携帯電話が広く普及しつつあり、ダイレクトプリント機能によるデジタル写真プリントを主たる目的としてインクジェットプリンタ等の記録装置を利用するユーザも多く、また、ユーザの年齢層の幅も広がりつつあり、よりシンプルな操作で簡単にデジタル写真プリントを自宅で行うことができる小型で低価格な記録装置へのニーズが高まってきている。
【０００７】
本発明は、このような状況に鑑み成されたものであり、その課題は、極めてシンプルな操作で簡単にデジタル写真プリントを行うことが可能な記録装置を提供することにある。  
また、本発明の課題は、極めてシンプルな操作で簡単にデジタル写真プリントを行うことが可能であり、かつ小型で低価格な記録装置を提供することにある。
【課題を解決するための手段】
【０００８】
上記課題を達成するため、本発明の第１の態様は、被記録材への記録を実行可能な記録実行手段と、リムーバブルメディアに保存されているデジタル画像ファイルを読み込み可能なデジタル画像ファイル読み込み装置と、電源ＯＦＦ状態で前記デジタル画像ファイル読み込み装置にリムーバブルメディアが挿入されると起動して電源ＯＮ状態となるように構成された電源回路と、前記記録実行手段、前記デジタル画像ファイル読み込み装置及び前記電源回路の制御を実行する記録制御装置とを備えた記録装置であって、前記記録制御装置は、電源ＯＮ時に前記デジタル画像ファイル読み込み装置にリムーバブルメディアが挿入されている状態を検出している場合には、前記記録装置の所定の初期化手順を実行して被記録材への記録を実行可能な状態となった時点で、デジタル画像ファイルの画像を一の被記録材へ記録する記録制御を前記デジタル画像ファイル読み込み装置に挿入されているリムーバブルメディアに保存された全てのデジタル画像ファイルについて実行した後、前記記録装置の電源ＯＦＦ制御を実行する全自動記録モードで起動する、ことを特徴とした記録装置である。
【０００９】
このように、本発明の第１の態様に記載の記録装置は、電源ＯＦＦ状態でデジタル画像ファイル読み込み装置にユーザがリムーバブルメディアを挿入すると、自動的に起動して電源ＯＮ状態となる。このとき、デジタル画像ファイル読み込み装置にリムーバブルメディアが挿入されている状態なので、記録制御装置は、全自動記録モードで起動する。この全自動記録モードにおいては、記録装置の所定の初期化手順が実行されて被記録材への記録を実行可能な状態となった時点で、そのデジタル画像ファイル読み込み装置に挿入されているリムーバブルメディアに保存された全てのデジタル画像ファイルについて被記録材への記録が１枚ずつ実行された後、記録装置の電源がＯＦＦとなる。
【００１０】
すなわち、例えば、電源ＯＦＦ状態の記録装置のメモリカードスロットに記録を実行したいデジタル画像ファイルが保存されたメモリカードを挿入すれば、あとは記録装置がデジタル写真プリントを全て自動的に行ってくれるので、ユーザは、全く何もしなくて良い。電源ボタンの操作による電源ＯＮ、記録を実行するデジタル画像ファイルの選択、被記録材の種別や大きさの選択操作、記録開始ボタンの操作、電源ボタンの操作による電源ＯＦＦ、等の操作を何ら一切行うことなく、ユーザは、記録装置のメモリカードスロットにメモリカードを挿入するという極めてシンプルな操作だけで、所望のデジタル画像ファイルからデジタル写真プリントを行うことができる。
【００１１】
また、電源ボタンの操作による電源ＯＮ、記録を実行するデジタル画像ファイルの選択、被記録材の種別や大きさの選択操作、記録開始ボタンの操作、電源ボタンの操作による電源ＯＦＦ、等の操作が不要になるので、電源ＯＮ／ＯＦＦボタン、記録開始ボタン、その他の操作ボタン類及び液晶表示パネル等の表示部を記録装置に一切設ける必要がない。つまり、基本的には、記録実行手段と電源回路とデジタル画像ファイル読み込み装置とこれらを制御する記録制御装置だけで記録装置を構成することができるので、記録装置の製造コスト及び部品コストを大幅に低減させることができる。
【００１２】
これにより、本発明の第１の態様に記載の記録装置によれば、ユーザは、デジタル画像ファイル読み込み装置にリムーバブルメディアを挿入するだけで、所望のデジタル画像ファイルからデジタル写真プリントを全て自動的に行うことができるので、極めてシンプルな操作で簡単にデジタル写真プリントを行うことが可能な記録装置を実現することができるという作用効果が得られる。  
また、これに加えて、記録装置の製造コスト及び部品コストを大幅に低減させることができるので、極めてシンプルな操作で簡単にデジタル写真プリントを行うことが可能であり、かつ小型で低価格な記録装置を実現することができるという作用効果が得られる。
【００１３】
さらに、デジタル画像ファイル読み込み装置にリムーバブルメディアを挿入した時点で記録装置の電源がＯＮして記録が自動的に開始され、全ての記録終了後に自動的に電源ＯＦＦとなるので、被記録材への記録を実行している間のみ記録装置の電源をＯＮ状態にすることができる。したがって、本発明の第１の態様に記載の記録装置によれば、無駄な電力消費を大幅に低減させることができるので、高い省エネルギー効果が得られる。
【００１４】
本発明の第２の態様は、前述した第１の態様において、前記記録制御装置は、前記全自動記録モードで起動した場合には、被記録材への記録を実行する前に、前記デジタル画像ファイル読み込み装置に挿入されているリムーバブルメディアにデジタル画像ファイルとともに所定形式の記録指定ファイルが保存されているか否かを検索し、所定形式の記録指定ファイルが保存されている場合には、当該記録指定ファイルで指定されたデジタル画像ファイルを当該記録指定ファイルで指定された記録枚数及び記録形式で被記録材へ記録する、ことを特徴とした記録装置である。
【００１５】
例えば、公知のＤＰＯＦ（Digital Print Order Format）対応のデジタルカメラで撮影したデジタル画像のファイルには、画像のサイズ、タイトル、トリミング設定等の情報が保存される他、被記録材に記録（プリント）したい画像や枚数等の設定情報をデジタルカメラ側で指定すると、その情報がＤＰＯＦ形式のファイルとしてデジタル画像のファイルとともにデジタルカメラ内のメモリカード等に保存される。
【００１６】
そこで、全自動記録モードで起動した場合には、被記録材への記録を実行する前に、デジタル画像ファイル読み込み装置に挿入されているリムーバブルメディアにＤＰＯＦ形式等の記録指定ファイルが保存されているかどうかを検索する。そして、ＤＰＯＦ形式等の記録指定ファイルが保存されている場合には、そのリムーバブルメディアに保存されているＤＰＯＦ形式等の記録指定ファイルで指定されたデジタル画像ファイルについて、そのＤＰＯＦ形式等の記録指定ファイルで指定された記録枚数及び記録形式で被記録材への記録を実行する。したがって、メモリカード等のリムーバブルメディアに保存された複数のデジタル画像ファイルを全て１枚ずつ記録（プリント）する以外に、ＤＰＯＦ対応のデジタルカメラ等を利用すれば、予め任意に選択したデジタル画像ファイルについて予め任意に指定した記録枚数や記録形式等でデジタル写真プリントを行うことも、デジタル画像ファイル読み込み装置にリムーバブルメディアを挿入するという極めてシンプルな操作だけで全て自動的に行うことが可能になる。
【００１７】
本発明の第３の態様は、前述した第１の態様又は第２の態様において、電源スイッチと、所定の記録実行操作が可能な操作手段と、記録実行操作に対する所定の表示が可能な表示手段とを備え、前記電源回路は、前記記録装置の電源ＯＦＦ状態で前記電源スイッチが操作されると起動して前記記録装置が電源ＯＮ状態となるように構成されており、前記記録制御装置は、電源ＯＮ時に前記デジタル画像ファイル読み込み装置にリムーバブルメディアが挿入されていない状態を検出している場合には、前記記録装置の所定の初期化手順のみ実行した後そのまま電源ＯＮ状態を維持し、当該電源ＯＮ状態を維持している間に前記デジタル画像ファイル読み込み装置にリムーバブルメディアが挿入された場合には、当該リムーバブルメディアに保存されているデジタル画像ファイルの中から操作者が前記操作部を操作して指定したデジタル画像ファイルの画像を操作者が前記操作部を操作して指定した記録枚数及び記録形式で被記録材へ記録することが可能な手動記録モードを有している、ことを特徴とした記録装置である。
【００１８】
前述したように、デジタル画像ファイル読み込み装置にリムーバブルメディアを挿入することで記録装置の電源をＯＮして全自動記録モードで起動する以外に、リムーバブルメディアを挿入せずに電源スイッチを操作することで記録装置の電源をＯＮすると手動記録モードで起動することもできるように構成する。この手動記録モードにおいては、従来のように液晶表示パネル等の表示部を観ながら操作ボタン類を有する操作部を操作して、デジタル画像ファイルの選択や被記録材の種別、大きさ、記録実行枚数等を任意に設定した後、記録開始ボタン等の操作を行うことによって被記録材への記録が開始される。この手動記録モードで記録を実行したい場合には、ユーザは、電源ＯＦＦ状態の記録装置のデジタル画像ファイル読み込み装置にリムーバブルメディアを挿入する前に、電源スイッチを操作して記録装置の電源をＯＮし、記録装置の起動後にデジタル画像ファイル読み込み装置にリムーバブルメディアを挿入すれば良い。すなわち、全自動記録モードで記録を実行するか手動記録モードで記録を実行するかを、記録装置の起動方法を変えることでユーザが任意に選択することができるので、極めてシンプルな操作で簡単にデジタル写真プリントを行うか、記録装置の操作部を操作してデジタル画像ファイルの選択や被記録材の種別、大きさ、記録実行枚数等を任意に設定してデジタル写真プリントを行うか、を状況等に応じて任意に選択することができる。
【００１９】
これにより、本発明の第３の態様に記載の記録装置によれば、ユーザは、極めてシンプルな操作で簡単にデジタル写真プリントを行うことが可能な記録装置を実現することができるという作用効果に加えて、さらに、記録装置の操作部を操作してデジタル画像ファイルの選択や被記録材の種別、大きさ、記録実行枚数等を任意に設定してデジタル写真プリントを行うことも任意に選択することができるので、さらに利便性の高い記録装置を実現することができるという作用効果が得られる。
【００２０】
本発明の第４の態様は、前述した第３の態様において、前記記録制御装置は、前記デジタル画像ファイル読み込み装置に挿入されているリムーバブルメディアからデジタル画像ファイルのデータを読み込みつつ被記録材への記録を実行している間に、当該リムーバブルメディアが前記デジタル画像ファイル読み込み装置から抜き出されたことを検出した時点で、記録実行中の被記録材への記録を中断して排出した後、前記全自動記録モードで動作している場合には前記記録装置の電源ＯＦＦ制御を実行し、前記手動記録モードで動作している場合にはそのまま電源ＯＮ状態を維持する、ことを特徴とした記録装置である。
【００２１】
デジタル画像ファイル読み込み装置に挿入されているリムーバブルメディアからデジタル画像ファイルのデータを読み込みつつ被記録材への記録を実行している間に、当該リムーバブルメディアがデジタル画像ファイル読み込み装置から抜き出されると、その時点でリムーバブルメディアに保存されているデジタル画像ファイルのデータを読み込むことができなくなる。したがって、その時点で、被記録材への記録をそれ以上続行することができなくなる。
【００２２】
このとき、本発明の第４の態様に記載の記録装置においては、その時点で記録動作を停止してエラー状態とするのではなく、記録実行途中の被記録材への記録を中断して排出するだけでエラー状態とはしない。そして、このときの記録モードが手動記録モードである場合には、そのまま記録装置の電源ＯＮ状態が維持され、引き続き手動記録モードでの記録を続行可能な状態が維持される。ユーザは、再度デジタル画像ファイル読み込み装置にリムーバブルメディアを挿入し、操作部を操作して所望の設定をして記録開始ボタン等を操作すれば、被記録材への記録を行うことができる。一方、このときの記録モードが全自動記録モードである場合には、記録装置の電源が自動的にＯＦＦされて全自動記録モードによる被記録材への記録が終了する。
【００２３】
このように、本発明の第４の態様に記載の記録装置によれば、被記録材への記録実行中にデジタル画像ファイル読み込み装置からリムーバブルメディアが引き抜かれた場合でもエラー状態で記録装置が停止した状態とならずに、記録モードに応じて正常に記録が終了したのと同じ状態になるので、ユーザは、排紙ボタン等を操作して記録途中の被記録材を排出したり、所定の操作でエラー解除を行ったりといった面倒な操作をしなくても、引き続き正常な状態で記録装置を使用することができる。
【００２４】
本発明の第５の態様は、前述した第１の態様〜第４の態様のいずれかにおいて、電源ＯＮ状態において前記記録制御装置を初期化して電源ＯＮ直後の状態にすることが可能なリセットスイッチを備えている、ことを特徴とした記録装置である。  
例えば、いわゆる紙ジャムが生じた場合でも、紙ジャムした被記録材を除去した後、リセットスイッチを操作するだけで、記録装置を正常な状態に復帰させることができる。このとき、記録制御装置が初期化されるので、リセットスイッチ操作時にデジタル画像ファイル読み込み装置にリムーバブルメディアが挿入されていれば、記録装置は全自動記録モードで起動し、再度リムーバブルメディア内のデジタル画像ファイルについて被記録材への記録が自動的に開始されることとなり、他方デジタル画像ファイル読み込み装置にリムーバブルメディアが挿入されていなければ、記録装置は手動記録モードで起動することとなる。尚、リセットスイッチ操作による起動時には、常に手動記録モードで起動するようにしても良い。
【００２５】
本発明の第６の態様は、被記録材への記録を実行可能な記録実行手段と、リムーバブルメディアに保存されているデジタル画像ファイルを読み込み可能なデジタル画像ファイル読み込み装置と、電源ＯＦＦ状態で前記デジタル画像ファイル読み込み装置にリムーバブルメディアが挿入されると起動して電源ＯＮ状態となるように構成された電源回路とを備えた記録装置において、前記記録実行手段、前記デジタル画像ファイル読み込み装置及び前記電源回路の制御をコンピュータに実行させるための記録制御プログラムであって、電源ＯＮ時に前記デジタル画像ファイル読み込み装置にリムーバブルメディアが挿入されているか否かを判定する手順と、電源ＯＮ時に前記デジタル画像ファイル読み込み装置にリムーバブルメディアが挿入されている状態を検出した場合には、前記記録装置の所定の初期化手順を実行して被記録材への記録を実行可能な状態となった時点で、デジタル画像ファイルの画像を一の被記録材へ記録する記録制御を前記デジタル画像ファイル読み込み装置に挿入されているリムーバブルメディアに保存された全てのデジタル画像ファイルについて実行した後、前記記録装置の電源ＯＦＦ制御を実行する全自動記録モード手順とを有する、ことを特徴とした記録制御プログラムである。  
本発明の第６の態様に記載の記録制御プログラムによれば、この記録制御プログラムを実行可能な任意の記録装置に、前述した第１の態様に記載の発明と同様の作用効果をもたらすことができる。
【発明を実施するための最良の形態】
【００２６】
以下、本発明の実施の形態を図面に基づいて説明する。  
まず、本発明に係る「記録装置」の一例としてのインクジェット式記録装置の概略構成について説明する。
【００２７】
図１は、本発明に係るインクジェット式記録装置の要部平面図であり、図２はその側面図である。  
図３は、本発明に係るインクジェット式記録装置の概略のブロック図である。  
インクジェット式記録装置５０には、「被記録材」としての記録紙Ｐへの記録を実行可能な「記録実行手段」を構成する手段として、記録紙Ｐに対して主走査方向Ｘへ移動可能にキャリッジガイド軸５１に軸支されたキャリッジ６１が設けられている。キャリッジ６１には、「被記録材」としての記録紙Ｐの記録面にドットを形成して記録を行うための記録ヘッド６２と主走査方向Ｘの記録紙Ｐの端部を検出するためのＰＷセンサ３４とが搭載されている。キャリッジ６１は、「キャリッジ用モータ」としてのＣＲモータ６３（図３）の回転駆動力が、無端ベルトによるベルト伝達機構（図示せず）によって伝達されて主走査方向Ｘに往復動する。このキャリッジ６１を主走査方向Ｘへ往復動させることで、記録紙Ｐに対して記録ヘッド６２を主走査方向Ｘに走査させることができる。記録ヘッド６２のヘッド面と対向する位置には、記録紙Ｐを摺接支持しつつ記録紙Ｐの記録面と記録ヘッド６２のヘッド面との間隔を所定間隔に規定するプラテン５２が設けられている。
【００２８】
キャリッジ６１の主走査方向Ｘへの往復動領域の一端側の外側には、公知のキャッピング装置５９が設けられている。記録を実行しない待機状態においては、キャリッジ６１がキャッピング装置５９の上まで移動して停止し、キャッピング装置５９に配設されているキャップＣＰによって記録ヘッド６２のヘッド面が封止される。このキャリッジ６１の停止位置は、ホームポジションＨＰとして規定される。
【００２９】
また、インクジェット式記録装置５０には、記録紙Ｐへの記録を実行可能な「記録実行手段」を構成する「被記録材搬送手段」として、記録紙Ｐを副走査方向Ｙに搬送する搬送駆動ローラ５３と搬送従動ローラ５４が設けられている。搬送駆動ローラ５３は、「被記録材搬送用モータ」としてのＰＦモータ５８（図３）の回転駆動力が歯車伝達されて回転する。搬送従動ローラ５４は、複数設けられており、従動回転可能に軸支された状態で搬送駆動ローラ５３に押圧付勢されている。搬送従動ローラ５４の押圧付勢力で高摩擦抵抗被膜が施された搬送駆動ローラ５３の外周面に押しつけられた記録紙Ｐは、その摩擦抵抗によって搬送駆動ローラ５３の外周面に密着する。その状態で搬送駆動ローラ５３を搬送方向へ回転させることによって、記録紙Ｐは、搬送従動ローラ５４が従動回転しつつ副走査方向Ｙに搬送され、それによって、記録ヘッド６２を記録紙Ｐに対して副走査方向Ｙに走査させることができる。
【００３０】
給紙トレイ５７の近傍には、給紙トレイ５７に積重されている記録紙Ｐの最上位の記録紙Ｐを「被記録材搬送手段」へ自動給送する「自動給送手段」としてのＡＳＦ（オート・シート・フィーダ）が設けられている。ＡＳＦは、給紙トレイ５７に設けられた給紙ローラ５７ｂ及び図示してない分離パッドを有する公知の自動給紙機構である。給紙ローラ５７ｂは、給紙トレイ５７の一方側に配置されている。記録紙ガイド５７ａは、記録紙Ｐの幅に合わせて幅方向に摺動可能に給紙トレイ５７に設けられている。そして、ＰＦモータ５８（図３）の回転駆動力が歯車伝達されて回転する給紙ローラ５７ｂの回転駆動力によって、給紙トレイ５７に置かれた記録紙Ｐが給紙される。その際に、分離パッドの摩擦抵抗によって、複数の記録紙Ｐが一度に給紙されることなく最上位の記録紙Ｐのみが正確に分離されて一枚ずつ自動給紙されるように構成されている。給紙ローラ５７ｂと搬送駆動ローラ５３との間には、搬送される記録紙Ｐの先端及び後端を検出する公知の紙検出器３３が配設されている。
【００３１】
一方、記録紙Ｐを副走査方向Ｙへ搬送可能な「被記録材搬送手段」及び記録実行後の記録紙Ｐを排紙する手段として、排紙駆動ローラ５５と排紙従動ローラ５６とが設けられている。排紙駆動ローラ５５は、ＰＦモータ５８（図３）の回転駆動力が歯車伝達されて回転し、記録実行後の記録紙Ｐは、排紙駆動ローラ５５の回転によって副走査方向Ｙに排紙される。排紙従動ローラ５６は、周囲に複数の歯を有し、各歯の先端が記録紙Ｐの記録面に点接触するように鋭角的に尖った歯付きローラになっている。複数の排紙従動ローラ５６は、それぞれ個々に排紙駆動ローラ５５に付勢され、記録紙Ｐが排紙駆動ローラ５５の回転により排紙される際に記録紙Ｐに接して記録紙Ｐの排紙に伴い従動回転する。  
そして、給紙ローラ５７ｂ、搬送駆動ローラ５３及び排紙駆動ローラ５５を回転駆動するＰＦモータ５８（図３）及びキャリッジ６１を主走査方向Ｘに駆動するＣＲモータ６３（図３）は、記録制御部１００により駆動制御される。また、記録ヘッド６２も同様に、記録制御部１００により駆動制御されて記録紙Ｐの表面にインクを噴射する。記録制御部１００は、キャリッジ６１を主走査方向Ｘへ往復動させながら記録ヘッド６２から記録紙Ｐへインクを噴射してドットを形成する動作と、記録紙Ｐを副走査方向Ｙへ所定の搬送量で搬送する動作とを交互に繰り返しながら記録紙Ｐへの記録制御を実行する。
【００３２】
引き続き図１〜図３を参照しながら記録制御部１００について説明する。  
記録制御部１００は、ＲＯＭ１０１、ＲＡＭ１０２、ＡＳＩＣ（特定用途向け集積回路）１０３、ＣＰＵ１０４、「不揮発性記憶媒体」としての不揮発性メモリ１０５、「被記録材搬送用モータ駆動回路」としてのＰＦモータドライバ１０６、「キャリッジ用モータ駆動回路」としてのＣＲモータドライバ１０７及びヘッドドライバ１０８を備えている。ＣＰＵ１０４には、ＡＳＩＣ１０３を介して、ロータリエンコーダ３１、リニアエンコーダ３２、紙検出器３３、ＰＷセンサ３４、インクジェット式記録装置５０の電源をＯＮ／ＯＦＦするための電源スイッチ３５及び記録制御部１００を初期化して電源ＯＮ直後の状態にすることが可能なリセットスイッチ３８の出力信号が入力される。
【００３３】
公知のロータリエンコーダ３１は、搬送駆動ローラ５３の回転量を検出するべくＰＦモータ５８の回転周期に連動した周期のパルス信号を出力するように配設されている。ロータリエンコーダ３１は、搬送駆動ローラ５３の回転に連動して回転するロータリスケール３１１と、ロータリスケール３１１の外周に沿って等間隔に形成されているスリットを検出するロータリスケールセンサ３１２とを有している（図２）。搬送駆動ローラ５３の回転に伴い変化するロータリスケールセンサ３１２の出力信号は、ＡＳＩＣ１０３を介してＣＰＵ１０４へ出力される。  
公知のリニアエンコーダ３２は、キャリッジ６１の移動量を検出するべくＣＲモータ６３の回転周期に連動した周期のパルス信号を出力するように配設されている。リニアエンコーダ３２は、キャリッジ６１の近傍に主走査方向Ｘと略平行に配置されたリニアスケール３２１と、リニアスケール３２１に等間隔に形成されているスリットを検出するキャリッジ６１に搭載されたリニアスケールセンサ３２２とを有している（図２）。キャリッジ６１の主走査方向Ｘの移動量に応じたパルス数でパルス周期が移動速度に伴い変化するリニアスケールセンサ３２２の出力信号は、ＡＳＩＣ１０３を介してＣＰＵ１０４へ出力される。
【００３４】
記録制御部１００のシステムバスには、ＲＯＭ１０１、ＲＡＭ１０２、ＡＳＩＣ１０３、ＣＰＵ１０４及び不揮発性メモリ１０５が接続されている。ＣＰＵ１０４は、インクジェット式記録装置５０の記録制御を実行するための演算処理やその他必要な演算処理を行う。ＲＯＭ１０１には、ＣＰＵ１０４によるインクジェット式記録装置５０の制御に必要な記録制御プログラム（ファームウェア）等が格納されており、記録制御プログラムの処理に必要な各種データ等は不揮発性メモリ１０５に記憶されている。ＲＡＭ１０２は、ＣＰＵ１０４の作業領域や記録データ等の格納領域として用いられる。  
ＡＳＩＣ１０３は、ＤＣモータであるＰＦモータ５８の速度制御を行う制御回路及びＣＲモータ６３の速度制御を行う制御回路並びに記録ヘッド６２の駆動制御を行う制御回路（図示せず）を有している。ＣＰＵ１０４から送られてくる制御命令、ロータリエンコーダ３１の出力信号及びリニアエンコーダ３２の出力信号に基づいて、ＰＦモータ５８及びＣＲモータ６３の速度制御を行う為の各種演算を行い、その演算結果に基づくモータ制御信号をＰＦモータドライバ１０６及びＣＲモータドライバ１０７へ送出する。また、ＣＰＵ１０４から送出される記録データ等に基づいて、記録ヘッド６２の制御信号を演算生成してヘッドドライバ１０８へ送出して記録ヘッド６２を駆動制御する。
【００３５】
さらに、ＡＳＩＣ１０３は、インクジェット式記録装置５０の本体に設けられたＵＳＢコネクタ（図示せず）を介して接続されるデジタルカメラ３０２とのＵＳＢインタフェースを実現して、デジタルカメラ３０２等からデジタル画像ファイルを読み込み可能な「デジタル画像ファイル読み込み装置」としての機能を実現するＵＳＢＩＦ１１２を有している。また、インクジェット式記録装置５０は、「リムーバブルメディア」としてのメモリカード３０１に保存されているデジタル画像ファイルを読み込み可能な「デジタル画像ファイル読み込み装置」としてのメモリカードスロット３６を備えている。
【００３６】
インクジェット式記録装置５０は、デジタルカメラ３０２をＵＳＢＩＦ１１２でインクジェット式記録装置５０に接続した状態又はメモリカードスロット３６にメモリカード３０１を挿入した状態で、前述したダイレクトプリントを実行することができる。尚、「デジタル画像ファイル読み込み装置」の態様は、特にＵＳＢインタフェースやメモリカードスロット３６に限定されるものではなく、例えば、ＣＤ（Compact Disk）やＤＶＤ（Digital Versatile Disk）等の光ディスクに保存されているデジタル画像ファイルを読み込み可能な構成を有する公知のＣＤ／ＤＶＤドライブ等の光ディスクドライブであっても良く、どのような態様のリムーバブルメディアの読み込み装置であっても差し支えない。
【００３７】
さらに、インクジェット式記録装置５０は、電源ＯＦＦ状態でメモリカードスロット３６にメモリカード３０１が挿入されると起動して電源ＯＮ状態となるように構成された電源回路３９を備えている。例えば、一般的なメモリカードスロット３６には、メモリカード３０１を挿入すると短絡する接点回路等が設けられているので、その接点回路を利用して電源回路３９を起動させることができる。また、電源回路３９は、電源スイッチ３５の接点回路とも接続されており、電源スイッチ３５を操作することでも起動させることができるように構成されている。
【００３８】
さらに、インクジェット式記録装置５０は、所定の記録実行操作が可能な「操作手段」及び記録実行操作に対する所定の表示が可能な「表示手段」としての操作表示部３７を備えている。操作表示部３７は、一般的なインクジェットプリンタに設けられているような上下左右の十字操作ボタン、記録開始ボタン及び記録中止ボタン等の操作ボタン類並びに小型の液晶表示パネルで構成されている。操作表示部３７は、通常は操作表示部カバー３７１内に収容されていて外観上は見えないように配設されており、操作表示部カバー３７１を開くことによって操作及び表示を観ることができるようになっている。また、操作表示部３７は、操作表示部カバー３７１の開閉状態を検出可能なカバーセンサ３７２を有しており、このカバーセンサ３７２の出力信号は、ＡＳＩＣ１０３を介してＣＰＵ１０４へ出力される。
【００３９】
つづいて、記録制御部１００における記録制御手順について説明する。
【００４０】
図４は、記録制御手順を示したフローチャートである。  
当該手順は、電源ＯＦＦ状態からインクジェット式記録装置５０の電源スイッチ３５が操作されたこと又はメモリカードスロット３６にメモリカード３０１が挿入されることで電源回路３９が起動してインクジェット式記録装置５０の電源がＯＮされ、記録制御部１００が起動した時点で実行される手順である。尚、インクジェット式記録装置５０の電源ＯＮ中にリセットスイッチ３８の操作により記録制御部１００が初期化された場合にも同じ手順が実行されるようにしても良い。
【００４１】
まず、電源スイッチ３５によるインクジェット式記録装置５０の電源ＯＮ操作がなされているか否かを判定する（ステップＳ１）。当該インクジェット式記録装置５０においては、約１秒〜２秒程度ユーザが電源スイッチ３５を押し続ける操作によって、インクジェット式記録装置５０の電源がＯＮとなるように構成されている。記録制御部１００は、電源回路３９から電力供給が開始されて起動した直後に電源スイッチ３５の接点状態を検出し、ユーザによる電源スイッチ３５の操作がなされていた場合には（ステップＳ１でＹｅｓ）、所定の電源ＯＮシーケンス（インクジェット式記録装置５０の初期化シーケンス）を実行する（ステップＳ２）
この所定の電源ＯＮシーケンスとは、一般的なインクジェットプリンタ等の記録装置において電源ＯＮ時に実行される初期化シーケンスであり、例えば、ハードウェア初期化、ドライバの初期化（ＰＦモータドライバ１０６、ＣＲモータドライバ１０７及びヘッドドライバ１０８等）、ＣＲモータ６３の回転制御の初期化（キャリッジ６１のＨＰ検出、メジャメント、エラー検出等）、ＰＦモータ５７の回転制御の初期化（メジャメント、エラー検出、ＡＳＦのリセット等）、ヘッドクリーニング時間判定等のインクシーケンスの初期化等が含まれる定義済み処理シーケンスである。これらの一連の初期化シーケンスが実行されてエラーが検出されず正常に終了した時点で、記録制御部１００は、「手動記録モード」で動作を開始し、インクジェット式記録装置５０は、記録紙Ｐへの記録を実行することが可能な状態となる。尚、この状態でメモリカードスロット３６にメモリカード３０１を挿入しても、後述する「全自動記録モード」には移行しない。
【００４２】
「手動記録モード」においては、カバーセンサ３７２の出力信号から操作表示部カバー３７１が開かれているか否かを判定する（ステップＳ３）。操作表示部カバー３７１が閉じている場合には（ステップＳ３でＮｏ）、操作表示部３７は、操作ボタン等を操作することもできないし液晶表示パネル等も観ることができない状態なので、液晶表示パネル等を消灯して節電を図るのが好ましい。そして、操作表示部カバー３７１が開かれたことを検出した時点で（ステップＳ３でＹｅｓ）、液晶表示パネル等の表示がされ、操作ボタン等の操作が可能になり、メモリカード３０１に保存されたデジタル画像ファイルの選択や被記録材の種別、大きさ、記録実行枚数等を任意に設定して記録紙Ｐへの記録を実行することが可能になる。
【００４３】
一方、電源ＯＮ時にユーザによる電源スイッチ３５の操作がなされていなかった場合には（ステップＳ１でＮｏ）、つづいて、電源ＯＮ時にメモリカードスロット３６にメモリカード３０１が挿入されているか否かを判定する（ステップＳ４）。メモリカードスロット３６にメモリカード３０１が挿入されていなかった場合には（ステップＳ４でＮｏ）、ステップＳ１に戻り、メモリカードスロット３６にメモリカード３０１が挿入されていた場合には（ステップＳ４でＹｅｓ）、つづいて、ステップＳ２と同様の所定の電源ＯＮシーケンスを実行する（ステップＳ５）。そして、インクジェット式記録装置５０は、これらの一連の初期化シーケンスが実行されてエラーが検出されず正常に終了した時点で、記録制御部１００は、「全自動記録モード」で動作を開始し、そのまま以下説明する全自動記録手順を実行する。
【００４４】
「全自動記録モード」においては、まず、記録紙Ｐへの記録を開始する前に、メモリカードスロット３６に挿入されているメモリカード３０１にデジタル画像ファイルとともに「所定形式の記録指定ファイル」としてのＤＰＯＦファイルが保存されているか否かを検索する（ステップＳ６）。メモリカード３０１にＤＰＯＦファイルが保存されていない場合には（ステップＳ６でＮｏ）、メモリカード３０１に保存されている全てのデジタル画像ファイルについて、１枚ずつ記録紙Ｐへ記録する記録指示を実行し（ステップＳ７）、記録紙Ｐへの記録シーケンスを実行する（ステップＳ９）。一方、メモリカード３０１にＤＰＯＦファイルが保存されている場合には（ステップＳ６でＹｅｓ）、メモリカード３０１に保存されているデジタル画像ファイルのうち、そのＤＰＯＦファイルで指定されたデジタル画像ファイルについて、そのＤＰＯＦファイルでデジタル画像ファイルごとに指定された記録枚数及び記録形式で、それぞれのデジタル画像ファイルの画像を記録紙Ｐへ記録する記録指示を実行し（ステップＳ８）、記録紙Ｐへの記録シーケンスを実行する（ステップＳ９）。そして、記録紙Ｐへの記録が全て終了した時点で、所定の電源ＯＦＦシーケンスを実行して電源回路３９を停止させ、インクジェット式記録装置５０の電源をＯＦＦにする（ステップＳ１０）。
【００４５】
図５は、記録紙Ｐへの記録シーケンス（図４のステップＳ９）を示したフローチャートである。  
全てのデジタル画像ファイル又はＤＰＯＦファイルで指定された複数のデジタル画像ファイルについて、最初のデジタル画像ファイルのデータ読み込みを開始する（ステップＳ１１）。既定又はＤＰＯＦファイルで指定されている記録紙Ｐのサイズ及び種別等を設定し（ステップＳ１２）、読み込んだデジタル画像ファイルのデータを展開処理しながら（ステップＳ１３）、当該デジタル画像ファイルの画像を記録紙Ｐの記録面に記録する（ステップＳ１４）。そして、記録紙Ｐに画像を記録したデジタル画像ファイルが記録を実行すべき複数のデジタル画像ファイルの中で最後のデジタル画像ファイルか否かを判定する（ステップＳ１５）。最後でない場合には（ステップＳ１５でＮｏ）、次のデジタル画像ファイルのデータ読み込みを開始するとともに（ステップＳ１６）、ステップＳ１２に戻って残りのデジタル画像ファイルの記録を実行し、最後のデジタル画像ファイルの記録を実行した時点で（ステップＳ１５でＹｅｓ）、当該手順を終了する。
【００４６】
図６は、メモリカード３０１の挿入状態を監視する手順を示したフローチャートである。尚、当該手順は、電源ＯＮシーケンス（図４のステップＳ２又はステップＳ５）の終了後に実行される手順である。  
まず、記録紙Ｐへの記録実行中か否かを判定する（ステップＳ２１）。記録実行中でない間は（ステップＳ２１でＮｏ）、記録紙Ｐへの記録実行中か否かの判定（ステップＳ２１）を繰り返す。そして、記録紙Ｐへの記録が開始されて記録実行中となった時点で（ステップＳ２１でＹｅｓ）、つづいて、メモリカードスロット３６にメモリカード３０１が挿入されていない状態か否かを判定する（ステップＳ２２）。メモリカードスロット３６にメモリカード３０１が挿入されている場合には（ステップＳ２２でＮｏ）、ステップＳ２１に戻り、記録紙Ｐへの記録実行中か否かを判定する（ステップＳ２１）。一方、メモリカードスロット３６にメモリカード３０１が挿入されていない状態であった場合には（ステップＳ２２Ｙｅｓ）、つまり、メモリカード３０１からデジタル画像ファイルのデータを読み込みながら記録紙Ｐへの記録を実行している間に、メモリカードスロット３６からメモリカード３０１が引き抜かれた場合には、所定の記録中止シーケンスを実行してステップＳ２１へ戻る（ステップＳ２３）。
【００４７】
尚、ここでの記録中止シーケンスは、そのときの記録モードが「全自動記録モード」であるか「手動記録モード」であるかによって異なる手順としても良い。例えば、記録紙Ｐへの記録実行中にメモリカードスロット３６からメモリカード３０１が引き抜かれた場合には、記録実行中の記録紙Ｐへの記録を中断して排出した後、「全自動記録モード」で動作しているときには所定の電源ＯＦＦ制御を実行してインクジェット式記録装置５０の電源をＯＦＦし、「手動記録モード」で動作しているときにはそのまま電源ＯＮ状態を維持する。このような記録中止シーケンスとすることによって、記録紙Ｐへの記録実行中にメモリカードスロット３６からメモリカード３０１が引き抜かれた場合でもエラー状態でインクジェット式記録装置５０が停止した状態とならずに、記録モードに応じて正常に記録が終了したのと同じ状態になる。したがって、ユーザは、排紙ボタン等を操作して記録途中の記録紙Ｐを排出したり、所定の操作でエラー解除を行ったりといった面倒な操作をしなくても、引き続き正常な状態でインクジェット式記録装置５０を使用することができる。
【００４８】
このようにして、本発明に係るインクジェット式記録装置５０によれば、電源ＯＦＦ状態のインクジェット式記録装置５０のメモリカードスロット３６に記録を実行したいデジタル画像ファイルが保存されたメモリカード３０１を挿入すると、「全自動記録モード」で起動してメモリカード３０１に保存されているデジタル画像ファイルの記録紙Ｐへの記録を全て自動的に行ってくれるので、ユーザは、全く何もしなくて良い。すなわち、ユーザは、電源ＯＦＦ状態のインクジェット式記録装置５０にメモリカードスロット３６にメモリカード３０１を挿入すれば、あとはインクジェット式記録装置５０が自動的に起動して自動的に所望のデジタル画像ファイルからデジタル写真プリントを実行して自動的に電源ＯＦＦするので、極めてシンプルな操作で簡単にデジタル写真プリントを行うことができる。
【００４９】
また、ＤＰＯＦ対応のデジタルカメラ等を利用すれば、メモリカード３０１に保存されたＤＰＯＦファイルに基づいて、予め任意に選択したデジタル画像ファイルについて予め任意に指定した記録枚数や記録形式等でデジタル写真プリントを自動的に行うことも、メモリカードスロット３６にメモリカード３０１を挿入するという極めてシンプルな操作だけで行うことが可能になる。
【００５０】
さらに、ユーザが「全自動記録モード」で記録を実行するか「手動記録モード」で記録を実行するかを、メモリカードスロット３６へのメモリカード３０１の挿入による電源ＯＮか、電源スイッチ３５の操作による電源ＯＮか、を選択することによって任意に選択することができる。したがって、極めてシンプルな操作で簡単に全自動でデジタル写真プリントを行うか、記録装置の操作部を操作してデジタル画像ファイルの選択や被記録材の種別、大きさ、記録実行枚数等を任意に設定してデジタル写真プリントを行うか、を状況等に応じて任意に選択することができるので、さらに利便性の高いインクジェット式記録装置５０を実現することができる。
【００５１】
さらに、上記実施例のインクジェット式記録装置５０を「全自動記録モード」のみで動作するように構成することもできる。それによって、メモリカードスロット３６以外は何もないインクジェット式記録装置５０も可能になるので、操作表示部３７の操作ボタン類や液晶表示パネル等が全て不要となり、インクジェット式記録装置５０を簡素化及び小型化して製造コスト及び部品コストを大幅に低減させることができる。したがって、極めてシンプルな操作で簡単にデジタル写真プリントを行うことが可能であり、かつ小型で低価格なインクジェット式記録装置５０をも実現することができる。
【００５２】
さらに、「全自動記録モード」においては、メモリカードスロット３６にメモリカード３０１を挿入した時点でインクジェット式記録装置５０の電源がＯＮして記録が自動的に開始され、全ての記録終了後に自動的にインクジェット式記録装置５０の電源ＯＦＦとなるので、記録紙Ｐへの記録を実行している間のみインクジェット式記録装置５０の電源をＯＮ状態にすることができる。したがって、無駄な電力消費を大幅に低減させることができるので、高い省エネルギー効果が得られる。
【００５３】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００５４】
【図１】本発明に係るインクジェット式記録装置の概略の平面図である。
【図２】本発明に係るインクジェット式記録装置の概略の側面図である。
【図３】本発明に係るインクジェット式記録装置の概略のブロック図である。
【図４】本発明に係る記録制御手順を示したフローチャートである。
【図５】記録紙への記録シーケンスを示したフローチャートである。
【図６】メモリカードの挿入状態を監視する手順を示したフローチャートである。
【符号の説明】
【００５５】
３５  電源スイッチ、３６  メモリカードスロット、３７  操作表示部、３８  リセットスイッチ、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、６１  キャリッジ、６２  記録ヘッド、１００  記録制御部、１０１  ＲＯＭ、１０２  ＲＡＭ、１０３  ＡＳＩＣ、１０４  ＣＰＵ、１０５  不揮発性メモリ、３０１  メモリカード、３０２  デジタルカメラ、３７１  操作表示部カバー、３７２  カバーセンサ、Ｐ  記録紙、Ｘ  主走査方向、Ｙ  副走査方向
【図１】
2007237710.tif 000003
【図２】
2007237710.tif 000004
【図３】
2007237710.tif 000005
【図４】
2007237710.tif 000006
【図５】
2007237710.tif 000007
【図６】
2007237710.tif 000008